(57)【要約】【課題】  所定位置に穂先竿の竿尻端開口部を位置させて、その状態を保持し、糸挿通作業を容易に行える中通し竿を提供する。【解決手段】  元竿４にリールからの釣り糸ａを導入する糸導入孔４Ａを形成する。元上３の竿尻端に穂先竿１を保持するホルダー６を取り付け、元竿４とホルダー６とに夫々磁石７Ａ、７Ｂを配置する。糸導入孔４Ａから導入された釣り糸ａを穂先竿１の釣り糸挿通経路内に導入する竿尻端開口部を、糸導入孔４Ａの近傍に、磁石７Ａ、７Ｂ同士の互いに引き合う電磁力によって位置決めすべく構成してある。【選択図】        図１
2008118857.tif 000002
【特許請求の範囲】
【請求項１】
リールから繰出された釣り糸を、竿体の内部空間に形成された釣り糸挿通経路内に導入する糸導入孔を前記竿体に形成するとともに、前記糸導入孔から導入された釣り糸を穂先竿の内部空間に形成された釣り糸挿通経路内に導入すべく前記穂先竿の竿尻端開口部を、前記糸導入孔の近傍に位置決めする位置決め機構を、互いに引き合う磁石で構成してある中通し竿。
【請求項２】
元竿に、その元竿の内部空間に形成された釣り糸挿通経路内に、リールからの釣り糸を導入する糸導入孔を形成するとともに、元上の竿尻端に穂先竿を保持するホルダーを取り付け、前記元竿と前記ホルダーまたは前記元上とに夫々磁石を配置して、前記糸導入孔から導入された釣り糸を前記穂先竿の釣り糸挿通経路内に導入すべく前記穂先竿の内部空間に形成された竿尻端開口部を、前記糸導入孔の近傍に位置決めする位置決め機構を設けてある中通し竿。
【請求項３】
元竿に、その元竿の内部空間に形成された釣り糸挿通経路内に、リールからの釣り糸を導入する糸導入孔を形成するとともに、元上の竿尻端に穂先竿を保持するホルダーを取り付け、前記元竿と前記元上との一方にスプリングボールを配置し、前記元竿と前記元上との他方に前記ボールに係合する環状溝を形成して、前記糸導入孔から導入された釣り糸を穂先竿の内部空間に形成された釣り糸挿通経路内に導入すべく前記穂先竿の竿尻端開口部を、前記糸導入孔の近傍に位置決めする位置決め機構を設けてある中通し竿。
【発明の詳細な説明】
【技術分野】
【０００１】
本発明は、リールから繰出された釣り糸を、竿体の内部空間に形成された釣り糸挿通経路内に導入する糸導入孔を竿体に形成するとともに、前記糸導入孔から導入された釣り糸を穂先竿の釣り糸挿通経路内に導入すべく前記穂先竿の竿尻端開口部を、前記糸導入孔の近傍に位置させて、釣り糸挿通具によって釣り糸を穂先竿の竿尻端開口部に挿入することとしている中通し竿に関する。
【背景技術】
【０００２】
穂先竿の釣り糸挿通経路内に釣り糸を導入すべく、元上の竿尻端に取り付けたホルダーに穂先竿の竿尻端を保持させるとともに、前記ホルダーが糸導入孔の近傍に位置するように、元上と穂先竿とを元竿内に収納する構成を採っていた（特許文献１参照）。
穂先竿、中間竿の竿尻端をフラツキなく保持するホルダー（文献２では後端保持部３２）を設け、リールから繰出された釣り糸を糸挿通経路内に挿入する糸導入孔を形成するガイド体を設け、このガイド体を糸導入孔を形成すべく糸挿通経路内に入り込むものに形成し、その糸挿通経路内に入り込んだ部分でホルダーを保持位置決めし、穂先竿の後端開口を糸導入孔の近傍に位置決めしていた（特許文献２参照）。
【０００３】
【特許文献１】特開平１０−５２１９４号公報（段落番号〔００１６〕第１行から第４行、及び、図２）
【特許文献２】特開平０９−２９８９８６号公報（段落番号〔００１５〕、及び、図２）
【発明の開示】
【発明が解決しようとする課題】
【０００４】
特許文献１においては、穂先竿を収納した元上の竿尻端開口部を糸導入孔の穂先側でその近傍に位置させて、釣り糸挿通具を穂先竿の竿尻端開口部に挿入しようとする際に、元上の竿尻端の外周面と元竿の内周面との間に僅かな間隙が形成されているために、元上の竿尻端の位置が糸導入孔よりも竿先側に移動することがあり、糸導入孔を通して外方から元上の竿尻端の開口部分が視認できないことがあり、糸通し作業に難儀することもあった。
特許文献２においては、穂先竿の後端開口を保持したホルダーが糸導入孔の近傍に置いて位置決めされているので、糸通し作業に難儀することは少ないと考えられるが、ホルダーを位置決めするために、リールからの釣り糸を糸挿通経路内に導入する糸導入孔を形成するガイド体（文献２では糸導入部２５）を糸挿通経路内に入り込ませた状態で設けてあり、構造が大型化するとともに、穂先竿を保持した状態で元上を元竿の竿元端まで収納することができず、釣り竿としての仕舞い寸法が長く成らざるを得ないものとなっていた。
【０００５】
本発明の目的は、所定位置に穂先竿の竿尻端開口部を位置させて、その状態を保持し、糸挿通作業を容易に行えるものでありながら、構造の簡素化を図った状態でそのような位置決め機能を発揮することのできる機構を備えた中通し竿を提供する点にある。
【課題を解決するための手段】
【０００６】
〔構成〕
請求項１に係る発明の特徴構成は、リールから繰出された釣り糸を、竿体の内部空間に形成された釣り糸挿通経路内に導入する糸導入孔を前記竿体に形成するとともに、前記糸導入孔から導入された釣り糸を穂先竿の内部空間に形成された釣り糸挿通経路内に導入すべく前記穂先竿の竿尻端開口部を、前記糸導入孔の近傍に位置決めする位置決め機構を、互いに引き合う磁石で構成してある点にあり、その作用効果は次の通りである。
【０００７】
〔作用〕
位置決め機構を構成する磁石が互いに引き合うことによって、穂先竿の竿尻端開口部を、糸導入孔の近傍に位置決めすることができる。これによって、穂先竿の竿尻端開口部位置の変動が抑制されるので、糸導入孔を通して穂先竿の竿尻端開口部を視認することが容易にできるようになり、リールからの釣り糸を結び付けた釣り糸挿通具を挿入する作業を容易に行うことができる。
しかも、このような機能を発揮できるものとして、互いに引き合う磁石を用いるだけであるので、糸挿通経路内に入り込ませた状態で設ける必要性がなく、設置位置の制約が少なく、構造の大型化を招来しない。
【０００８】
〔効果〕
釣り糸の挿通作業を容易迅速に行え、釣りを始める前の準備負担を軽減できる位置決め機構を、磁石を利用して行うこととしために、設置位置の制約が少なく、占有スペースの少ない位置決め機構を設けることができた。
【０００９】
請求項２に係る発明の特徴構成は、元竿に、その元竿の内部空間に形成された釣り糸挿通経路内に、リールからの釣り糸を導入する糸導入孔を形成するとともに、元上の竿尻端に穂先竿を保持するホルダーを取り付け、前記元竿と前記ホルダーまたは前記元上とに夫々磁石を配置して、前記糸導入孔から導入された釣り糸を前記穂先竿の釣り糸挿通経路内に導入すべく前記穂先竿の内部空間に形成された竿尻端開口部を、前記糸導入孔の近傍に位置決めする位置決め機構を設けてある点にあり、その作用効果は次の通りである。
【００１０】
〔作用効果〕
つまり、元上に対してホルダーを介して穂先竿を取り付けているので、元上を元竿に対して位置決め機構によって位置決めすることによって、穂先竿の竿尻端開口部を糸導入孔の近傍に位置させることができる。そして、位置決め機構として磁石を利用して、その磁石をホルダー又は元上に設ける構成を採用したので、磁石を取り付けるための専用の部品を設ける必要がなく、改造を少ないものにすることができて、改造に掛かる設計負担及び製作負担を抑制するものにできた。
しかも、位置決め機構用の磁石を元竿、及び、元上、又は、その元上に保持されたホルダーに設置するだけでよいので、糸挿通経路内に臨む機構を必要とせず、構造の大型化を招来することがない。
そして、磁石を糸挿通経路内に位置させる必要がないので、釣り糸を穂先竿内に挿通させた状態で穂先竿、中竿の竿元端を磁石の引き力に抗して元竿の竿元端近傍まで収納することができ、中通し竿であっても、仕舞い寸法の短縮化を図ることができる。
【００１１】
請求項３に係る発明の特徴構成は、元竿に、その元竿の内部空間に形成された釣り糸挿通経路内に、リールからの釣り糸を導入する糸導入孔を形成するとともに、元上の竿尻端に穂先竿を保持するホルダーを取り付け、前記元竿と前記元上との一方にスプリングボールを配置し、前記元竿と前記元上との他方に前記ボールに係合する環状溝を形成して、前記糸導入孔から導入された釣り糸を穂先竿の内部空間に形成された釣り糸挿通経路内に導入すべく前記穂先竿の竿尻端開口部を、前記糸導入孔の近傍に位置決めする位置決め機構を設けてある点にあり、その作用効果は次の通りである。
【００１２】
〔作用効果〕
つまり、元上に対してホルダーを介して穂先竿を取り付けて、位置決め機構によって穂先竿の竿尻端開口部を糸導入孔の近傍に位置させることができる。そして、位置決め機構としてスプリングボールを利用する構成を採用したので、スプリングボールを取り付けるだけの改造を行えばよく、改造に掛かる設計負担及び製作負担を抑制するものにできた。
しかも、位置決め機構用のスプリングボールを元竿と元上とに亘って設置するだけでよいので、糸挿通経路内に臨む機構を必要とせず、構造の大型化を招来することがない。
そして、スプリングボールを糸挿通経路内に位置させる必要がないので、釣り糸を穂先竿内に挿通させた状態で穂先竿、中竿の竿元端を元竿の竿元端近傍まで収納することができ、中通し竿であっても、仕舞い寸法の短縮化を図ることができる。
【発明を実施するための最良の形態】
【００１３】
〔第１実施形態〕
中通し竿Ａについて説明する。図１に示すように、中通し竿Ａを、穂先竿１、二番竿２、元上３、元竿４とで構成するとともに、穂先竿１、二番竿２、元上３、元竿４の内部空間を、リール（図示せず）からの釣り糸ａを挿通する釣り糸挿通経路に形成してある。
【００１４】
図１に示すように、元竿４におけるリールシート（図示せず）の竿先側に、そのリールからの釣り糸ａを釣り糸挿通経路に導入する為に、糸導入孔４Ａを形成してある。糸導入孔４Ａの縁部には、釣り糸ａとの摩擦を低減する硬質のガイドリング４ａが設けてある。
図１に示すように、糸導入孔４Ａを形成した元竿４の外周面には、リールから繰出された釣り糸ａを糸導入孔４Ａに導く釣り糸ガイド５が取り付けてある。
【００１５】
釣り糸ガイド５について説明する。図１に示すように、釣り糸ガイド５は、元竿４の外周面に載置取付るための脚部５Ａ、５Ａを竿先側と竿尻側とに配置するとともに、両脚部５Ａ、５Ａから立ち上げ形成したガイド本体部５Ｂを設け、ガイド本体部５Ｂと脚部５Ａ、５Ａとを一体で形成している。
【００１６】
ガイド本体部５Ｂは、竿先側の脚部５Ａから緩やかな傾斜を呈する傾斜部を延出し、この緩やかな傾斜を呈する傾斜部に覗き窓５Ｃを形成するとともに、緩やかな傾斜を呈する傾斜部より竿尻側に急な傾斜を呈する急傾斜部を竿尻側の脚部５Ａから立設し、この急傾斜部にリールから繰出された釣り糸ａを糸導入孔４Ａに導くガイド孔５Ｄを形成してある。図中ｂは、脚部５Ａ、５Ａを元竿４に取付固定する為の取付糸である。
【００１７】
次に、元上３、二番竿２、穂先竿１の竿尻端の構成について説明する。図１（ロ）に示すように、元上３の竿尻端開口にホルダー６を取り付けてある。ホルダー６は、竿先側に薄肉状の第１保持部６Ａを設けるとともに、中間位置に厚肉状の第２保持部６Ｂを設け、第２保持部６Ｂの竿尻端側に更に厚肉状のガイド部６Ｃを設けてある。
【００１８】
第１保持部６Ａから第２保持部６Ｂの外周面に雄ネジ６ａを形成し、元上３の竿尻端の内周面に雌ネジ３ａを形成し、ホルダー６を元上３の竿尻端に螺着するように構成してある。
ガイド部６Ｃは、元上３の竿尻端面に当接するように元上３の外周面と略同じ外径を有しており、元竿４の内周面に略接触する外径を呈し、竿尻端側にはホーン状に開口する釣り糸誘導孔６ｂを形成している。
ここで、使用するホルダー６としては、ネオプレンゴムやシリコンゴム等の軟質ゴム、または、ナイロンやポリエチレン等の機能樹脂を使用してもよい。
【００１９】
図１（ロ）に示すように、第１保持部６Ａの内周面には第１内側嵌合面６ｃが形成されており、この第１内側嵌合面６ｃに２番竿２の竿尻外周面を内嵌合することによって、第２番竿２を元上３内に収納すべく構成してある。
第２保持部６Ｂの内周面には第２内側嵌合面６ｄが形成されており、この第２内側嵌合面６ｄに穂先竿１の竿尻外周面を内嵌合することによって、穂先竿１を元上３内に収納すべく構成してある。
【００２０】
糸導入孔４Ａから導入された釣り糸ａを穂先竿１の釣り糸挿通経路内に導入する竿尻端開口部を、糸導入孔４Ａの近傍に位置決めする位置決め機構Ｂを設ける構成について説明する。
図１（イ）に示すように、元竿４における釣り糸ガイド５の脚部５Ａの近くに、磁石７Ａを装着してある。一方、その元竿４に収納される元上３の竿尻端に取付けてあるホルダー６に、磁石７Ａに引き合う磁石７Ｂを埋め込んである。
【００２１】
以上のような構成によって、穂先竿１、二番竿２、元上３内に収納した状態で、その元上３を元竿４内に収納すると、磁石７Ａ、７Ｂ同士が引き合い、元上３の竿尻端開口部が元竿４の糸導入孔４Ａの竿先側に位置し、その状態が維持される。
ここに、元竿４と元上３とに設けた磁石７Ａ、７Ｂを、糸導入孔４Ａから導入された釣り糸ａを穂先竿１の釣り糸挿通経路内に導入する竿尻端開口部を、糸導入孔４Ａの近傍に位置決めする位置決め機構Ｂと称する。
【００２２】
以上のように、位置決め機構Ｂの働きにより、元上３の竿尻端開口部を、糸導入孔４Ａの近くに位置させることができ、糸導入孔４Ａを通して外部より元上３の竿尻端開口部を視認することができる。
したがって、釣り糸挿通具１２にリールからの釣り糸ａを取り付け、釣り糸ガイド５のガイド孔５Ｄを介して糸導入孔４Ａ内に釣り糸挿通具１２を挿入する際に、元上３の竿尻端開口部を外部から視認できるので、釣り糸挿通具１２の先端１２ａを竿尻端開口部内に差込み易くなり、釣り糸挿通経路への釣り糸挿通作業を容易に行えるようになった。
【００２３】
磁石７Ａとしては、硬質の磁石を短幅のものにしたものでもよく、または、軟質の板状の磁石を採用してもよい。磁石７Ａ、７Ｂの材質としては、ネオジユウム等を使用することができる。強力な磁力を必要とする場合には、アルニコ等を使用することができる。
【００２４】
従来は、元竿の内径が僅かに異なる場合にも対応して異なる外径のホルダー６を設けていた。これに対して、磁石７Ａ、７Ｂを利用した位置決め機構Ｂを構成したので、ホルダー６の外周面を元竿４の内周面に接触させる構成を採る必要がなく、僅かに異なる元竿４の内径に対応した複数種類のホルダー６を製作する必要はない。
【００２５】
〔第２実施形態〕
主として、第１実施形態と異なる点を説明する。図２に示すように、元上３の竿尻端内周面に雌ネジ３ａを刻設するとともに、この雌ネジ３ａに螺合する筒状の内嵌ゴム８の外周面に雄ネジ８ａを形成して、この筒状の内嵌ゴム８を元上３の竿尻端内周面に装着するように構成してある。
内嵌ゴム８の嵌合孔の内周面を、竿先側ほど内径を大きく採ったものに構成して、二番竿２の竿尻端部を嵌合孔に誘導するのを容易に行え、嵌合した状態で収納状態を保持できるように構成してある。
【００２６】
内嵌ゴム８の竿尻側には、元上３の竿尻端面に装着した硬質の案内リング９が位置し、糸導入孔４Ａを通して導入された釣り糸ａを元上３内に導入するように構成してある。ここに、硬質の案内リング９の材質としては、炭化珪素等のセラミックやサーメット等が使用できる。
【００２７】
図２に示すように、二番竿２の竿尻端開口部にも、元上３と同様に、内嵌ゴム８と竿尻端面に硬質の案内リング９が装着してあり、内嵌ゴム８で穂先竿１の竿尻端を内嵌保持するように構成してある。
【００２８】
糸導入孔４Ａから導入された釣り糸ａを穂先竿１の釣り糸挿通経路内に導入する竿尻端開口部を、糸導入孔４Ａの近傍に位置決めする位置決め機構Ｂについて説明する。図２に示すように、元竿４の糸導入孔４Ａより竿先側に内部空間に通じる貫通孔を形成するとともに、この貫通孔内に係合用のボール１０と付勢用のスプリングとを収納する。一方、元上３の竿尻端外周面に環状溝３Ａを形成し、ボール１０を環状溝３Ａに係合させて、スプリングボール式の位置決め機構Ｂを構成してある。
【００２９】
図２に示すように、糸導入孔４Ａの竿尻側に釣り糸ガイド１１を設けてある。釣り糸ガイド１１は、元竿４の外周面に装着される基台１１Ａとその基台１１Ａより立設された保持枠１１Ｂとで構成し、保持枠１１Ｂに釣り糸貫通孔を形成し、釣り糸貫通孔の縁部にガイドリング１１Ｃを装着してある。ここに、ガイドリング１１Ｃの材質としては、炭化珪素等のセラミックやサーメット等が使用できる。
【００３０】
以上のような構成により、釣り糸挿通具１２にリールからの釣り糸ａを取り付け、釣り糸挿通具１２を挿入する際に、糸導入孔４Ａを通して元上３の竿尻端開口部を外部から視認できるので、釣り糸挿通具１２の先端１２ａを竿尻端開口部内に差込みやすくなり、釣り糸挿通経路への釣り糸挿通作業を容易に行えるようになった。
【００３１】
〔別実施形態〕
（１）上記構成においては、ホルダー６に磁石７Ｂを埋め込み、ホルダー６を利用して穂先竿１を元上３に保持させた状態で、元上３の竿尻端開口部を糸導入孔４Ａの近傍に位置させる構成を採ったが、元上３を介さずに穂先竿１の竿尻端開口部を、単独で、糸導入孔４Ａの近傍に位置させる構成を採ってもよい。
つまり、穂先竿１の外周面に磁石を設ける構成を採ってもよい。
（２）磁石７Ａ、７Ｂの取付方法として、元竿４、元上３の肉厚内に設ける構成を採ってもよい。
つまり、図示はしていなが、元竿４、元上３内に磁石７Ａ、７Ｂを設ける製作方法について説明する。元竿４、元上３等の竿体は、炭素繊維等の強化繊維を引き揃えたものに、熱硬化性樹脂を含浸させて形成したプリプレグシートを所定形状に裁断し、裁断したパターンを複数枚マンドレルに巻回して竿素材を構成する。この竿素材をマンドレルに巻回した状態で焼成し、所定長さに裁断し仕上処理を施して元竿４を構成する。
この場合に、裁断したパターンに板状の磁石７Ａ、７Ｂを接着等し、その磁石７Ａ、７Ｂを取り付けたパターンをマンドレルに巻回することによって、磁石７Ａ、７Ｂを元竿４内に埋め込み固定することができる。
（３）磁石７Ａ、７Ｂの取付方法として、元竿４、元上３の肉厚内に設ける構成を示したが、元竿４、及び、元上３の表面に凹部を形成し、その凹部に嵌め込み固定するか、または、凹部を形成せずにその外周面に外周面から僅かに突出する状態に貼り付ける構成を採ってもよい。
（４）糸導入孔４Ａを形成する竿体としては、元竿４ではなく、元上３であってもよい。
【図面の簡単な説明】
【００３２】
【図１】（イ）磁石を利用した位置決め機構によって穂先竿の竿尻端開口部を糸導入孔の近傍に位置させて、釣り糸挿通具によって釣り糸を穂先竿の糸挿入経路内に挿入する前の状態を示す縦断側面図、（ロ）元上の竿尻端に穂先竿を保持するホルダーを装着した状態を示す縦断側面図
【図２】スプリングボールを利用した位置決め機構によって穂先竿の竿尻端開口部を糸導入孔の近傍に位置させて、釣り糸挿通具によって釣り糸を穂先竿の糸挿入経路内に挿入する前の状態を示す縦断側面図
【符号の説明】
【００３３】
１            穂先竿
４Ａ          糸導入孔
６            ホルダー
７Ａ、７Ｂ    磁石
１０          ボール
Ｂ            位置決め機構
ａ            釣り糸
【図１】
2008118857.tif 000003
【図２】
2008118857.tif 000004